(57)【要約】【課題】  軽量で、かつ成型が容易でありながら高強度な寝台天板を提供する。【解決手段】それぞれがカーボン繊維強化プラスチック製の長尺材である複数のＣ−ＦＲＰ成型材５１を、互いにほぼ平行に１方向に沿って配列される。複数のＣ−ＦＲＰ成型材５１どうしを、非磁性材製の絶縁材であるハニカム材５２により絶縁される。Ｃ−ＦＲＰ成型材５１およびハニカム材５２を、複数のＣ−ＦＲＰ成型材５１の配列状態を維持した状態にてガラスクロス５３によって保持して板状に成形される。【選択図】  図４
2010131383.tif 000002
【特許請求の範囲】
【請求項１】
撮影空間部に静磁場空間を形成する静磁場発生部と、この静磁場発生部によって形成さ
れる静磁場に位置情報を付加するための傾斜磁場を発生する傾斜磁場発生部と、前記撮影
空間部にＲＦパルスを照射する励起部と、前記被検体から放出される磁気共鳴信号を受信
する受信部と、この受信部で収集される磁気共鳴信号に基づいて画像データを再構成する
演算部と、前記被検体を載置する寝台天板と、
前記寝台天板を前記撮像空間部に位置付けるように駆動する寝台と、
を備えたＭＲＩ装置において、
前記寝台が有する前記寝台天板は、互いに接触しない程度に充分に電気的絶縁が確保さ
れる距離をとって配列された導電性の複数の長尺材と、
非磁性材製で、複数の前記長尺材どうしを絶縁する絶縁材と、
前記複数の長尺材および前記絶縁材を、複数の前記長尺材の配列状態を維持して保持し
て板状に成形する成形材とを具備することを特徴とするＭＲＩ装置。
【請求項２】
前記長尺材は、カーボン繊維強化プラスチック製であることを特徴とする請求項１記載
のＭＲＩ装置。
【請求項３】
前記絶縁材は、非磁性かつ絶縁性の材質からなる複数の絶縁長尺材を含み、
複数の前記長尺材と複数の前記絶縁長尺材とが互いにほぼ平行に１方向に沿って交互に
配列されることを特徴とする請求項２記載のＭＲＩ装置。
【請求項４】
複数の前記長尺材は、当該長尺材の長手方向が、前記寝台天板の長手方向又は幅方向と
ほぼ平行になるように配列されることを特徴とする請求項３記載のＭＲＩ装置。
【請求項５】
複数の前記長尺材は、当該長尺材の長手方向が、前記寝台天板の長手方向および前記天
板の幅方向と平行にならないように配列されることを特徴とする請求項３記載のＭＲＩ装
置。
【請求項６】
複数の前記長尺材のうちの一部の長尺材は、互いにほぼ平行に第１の方向に沿って配列
され、また複数の前記長尺材の内の一部の長尺材以外の長尺材は、互いにほぼ平行に前記
第１の方向とは異なる第２の方向に沿って配列されていることを特徴とする請求項３記載
のＭＲＩ装置。
【請求項７】
前記第１の方向は、前記寝台天板の長手方向とほぼ平行になり、前記第２の方向は前記
寝台天板の幅方向とほぼ平行になることを特徴とする請求項６記載のＭＲＩ装置。
【請求項８】
前記第１の方向および前記第２の方向は、前記寝台天板の長手方向および前記寝台天板
の幅方向と平行にならないように配列されることを特徴とする請求項６記載のＭＲＩ装置
。
【請求項９】
前記絶縁材は、ガラス繊維強化プラスチック製であることを特徴とする請求項１記載の
ＭＲＩ装置。
【請求項１０】
前記絶縁材は、ハニカム構造を持つことを特徴とする請求項１記載のＭＲＩ装置。
【請求項１１】
前記絶縁材は、前記被検体が載置される前記寝台天板が有する平面に対して鉛直方向に
ハニカム形状を向けて配列されることを特徴とする請求項１０記載のＭＲＩ装置。
【請求項１２】
撮影空間部に静磁場空間を形成する静磁場発生部と、この静磁場発生部によって形成さ
れる静磁場に位置情報を付加するための傾斜磁場を発生する傾斜磁場発生部と、前記撮影
空間部にＲＦパルスを照射する励起部と、前記被検体から放出される磁気共鳴信号を受信
する受信部と、この受信部で収集される磁気共鳴信号に基づいて画像データを再構成する
演算部と、を備えるＭＲＩ装置用の寝台において、
互いに接触しない程度に充分に電気的絶縁が確保される距離をとって配列された導電性
の複数の長尺材と、
非磁性材製で、複数の前記長尺材どうしを絶縁する絶縁材と、
複数の前記長尺材および前記絶縁材を、複数の前記長尺材の配列状態を維持して保持し
て板状に成形する成形材とを備える寝台天板を有することを特徴とするＭＲＩ装置用寝台
。
【請求項１３】
前記長尺材は、カーボン繊維強化プラスチック製であることを特徴とする請求項１２記
載のＭＲＩ装置用寝台。
【請求項１４】
前記絶縁材は、非磁性かつ絶縁性の材質からなる複数の絶縁長尺材を含み、
複数の前記長尺材と複数の前記絶縁長尺材とが互いにほぼ平行に１方向に沿って交互に
配列されることを特徴とする請求項１３記載のＭＲＩ装置用寝台。
【請求項１５】
複数の前記長尺材は、当該長尺材の長手方向が、前記寝台天板の長手方向又は幅方向と
ほぼ平行になるように配列されることを特徴とする請求項１４記載のＭＲＩ装置用寝台。
【請求項１６】
複数の前記長尺材は、当該長尺材の長手方向が、前記寝台天板の長手方向および前記天
板の幅方向と平行にならないように配列されることを特徴とする請求項１４記載のＭＲＩ
装置用寝台。
【請求項１７】
複数の前記長尺材のうちの一部の長尺材は、互いにほぼ平行に第１の方向に沿って配列
され、また複数の前記長尺材の内の一部の長尺材以外の長尺材は、互いにほぼ平行に前記
第１の方向とは異なる第２の方向に沿って配列されていることを特徴とする請求項１４記
載のＭＲＩ装置用寝台。
【請求項１８】
前記第１の方向は、前記寝台天板の長手方向とほぼ平行になり、前記第２の方向は前記
寝台天板の幅方向とほぼ平行になることを特徴とする請求項１７記載のＭＲＩ装置用寝台
。
【請求項１９】
前記第１の方向および前記第２の方向は、前記寝台天板の長手方向および前記寝台天板
の幅方向と平行にならないように配列されることを特徴とする請求項１７記載のＭＲＩ装
置用寝台。
【請求項２０】
前記絶縁材は、ガラス繊維強化プラスチック製であることを特徴とする請求項１２記載
のＭＲＩ装置用寝台。
【請求項２１】
前記絶縁材は、ハニカム構造を持つことを特徴とする請求項１２記載のＭＲＩ装置用寝
台。
【請求項２２】
前記絶縁材は、前記被検体が載置される前記寝台天板が有する平面に対して鉛直方向に
ハニカム形状を向けて配列されることを特徴とする請求項２１記載のＭＲＩ装置用寝台。
【請求項２３】
撮影空間部に静磁場空間を形成する静磁場発生部と、この静磁場発生部によって形成さ
れる静磁場に位置情報を付加するための傾斜磁場を発生する傾斜磁場発生部と、前記撮影
空間部にＲＦパルスを照射する励起部と、前記被検体から放出される磁気共鳴信号を受信
する受信部と、この受信部で収集される磁気共鳴信号に基づいて画像データを再構成する
演算部と、を備えるＭＲＩ装置用の寝台に使用されるＭＲＩ装置用寝台天板において、
互いに接触しない程度に充分に電気的絶縁が確保される距離をとって配列された導電性
の複数の長尺材と、
非磁性材製で、複数の前記長尺材どうしを絶縁する絶縁材と、
複数の前記長尺材および前記絶縁材を、複数の前記長尺材の配列状態を維持して保持し
て板状に成形する成形材とを具備することを特徴とするＭＲＩ装置用寝台天板。
【請求項２４】
前記長尺材は、カーボン繊維強化プラスチック製であることを特徴とする請求項２３記
載のＭＲＩ装置用寝台天板。
【請求項２５】
前記絶縁材は、非磁性かつ絶縁性の材質からなる複数の絶縁長尺材を含み、
複数の前記長尺材と複数の前記絶縁長尺材とが互いにほぼ平行に１方向に沿って交互に
配列されることを特徴とする請求項２４記載のＭＲＩ装置用寝台天板。
【請求項２６】
複数の前記長尺材は、当該長尺材の長手方向が、前記寝台天板の長手方向又は幅方向と
ほぼ平行になるように配列されることを特徴とする請求項２５記載のＭＲＩ装置用寝台天
板。
【請求項２７】
複数の前記長尺材は、当該長尺材の長手方向が、前記寝台天板の長手方向および前記天
板の幅方向と平行にならないように配列されることを特徴とする請求項２５記載のＭＲＩ
装置用寝台天板。
【請求項２８】
複数の前記長尺材のうちの一部の長尺材は、互いにほぼ平行に第１の方向に沿って配列
され、また複数の前記長尺材の内の一部の長尺材以外の長尺材は、互いにほぼ平行に前記
第１の方向とは異なる第２の方向に沿って配列されていることを特徴とする請求項２５記
載のＭＲＩ装置用寝台天板。
【請求項２９】
前記第１の方向は、前記寝台天板の長手方向とほぼ平行になり、前記第２の方向は前記
寝台天板の幅方向とほぼ平行になることを特徴とする請求項２８記載のＭＲＩ装置用寝台
天板。
【請求項３０】
前記第１の方向および前記第２の方向は、前記寝台天板の長手方向および前記寝台天板
の幅方向と平行にならないように配列されることを特徴とする請求項２８記載のＭＲＩ装
置用寝台天板。
【請求項３１】
前記絶縁材は、ガラス繊維強化プラスチック製であることを特徴とする請求項２３記載
のＭＲＩ装置用寝台天板。
【請求項３２】
前記絶縁材は、ハニカム構造を持つことを特徴とする請求項２３記載のＭＲＩ装置用寝
台天板。
【請求項３３】
前記絶縁材は、前記被検体が載置される前記寝台天板が有する平面に対して鉛直方向に
ハニカム形状を向けて配列されることを特徴とする請求項３２記載のＭＲＩ装置用寝台天
板。
【発明の詳細な説明】
【技術分野】
【０００１】
本発明は、ＭＲＩ装置、ＭＲＩ装置用寝台およびＭＲＩ装置用寝台天板に関するもので
あり、特にＭＲＩ装置の撮像空間に被検体を送り込むために使用される寝台に備えられる
寝台天板に関する。
【背景技術】
【０００２】
磁気共鳴イメージング装置（ＭＲＩ装置）の撮像空間に被検体を送り込むための寝台天
板は、被検体で起きる磁気共鳴現象の観測の妨げとならぬように、非磁性であることと、
非導電性であることとが要求される。このため従来の寝台天板には、木材などが使用され
ていた。ただし近年においては、加工の容易さ、あるいは軽量化を図りながらの強度確保
などの観点から、ガラス繊維強化プラスチック（Ｇ−ＦＲＰ）が広く使用されている。
【先行技術文献】
【特許文献】
【０００３】
【特許文献１】特開２００８−００６２００号公報
【発明の概要】
【発明が解決しようとする課題】
【０００４】
しかしながら、近年のＭＲＩ装置では、スクリーニング撮像などのために１回の検査で
広範囲の撮像を行うことが必要となったことから、寝台天板の可動範囲も増大している。
【０００５】
寝台天板の可動範囲の増大により、寝台本体からの寝台天板の最大オーバハング量を増加
している。一方、静磁場を発生させる磁石架台は、短軸化の傾向にあり、必然的に磁石架
台後方（反寝台側）への寝台天板突出量が増加し寝台天板で負荷を支持することになり、
寝台天板にはより高い強度が要求されるようになっている。
【０００６】
このような事情の下、木材やＧ−ＦＲＰでは、寝台天板に要求される強度を得られない
ケースが生じている。なお、Ｇ−ＦＲＰの場合には、ガラス繊維の充填率を上げることに
よりある程度の強度増加を図ることが可能である。しかしながら、Ｇ−ＦＲＰは、ガラス
繊維の充填率を高めるほどに成型時の歪みが発生し易くなってしまったり、重量が増加し
てしまう。
【０００７】
本発明はこのような事情を考慮してなされたものであり、その目的とするところは、軽
量で、かつ成型が容易でありながら高強度な寝台天板を提供することにある。
【課題を解決するための手段】
【０００８】
前記目的を達成するために、本発明の請求項１に係るＭＲＩ装置は、撮影空間部に静磁
場空間を形成する静磁場発生部と、この静磁場発生部によって形成される静磁場に位置情
報を付加するための傾斜磁場を発生する傾斜磁場発生部と、前記撮影空間部にＲＦパルス
を照射する励起部と、前記被検体から放出される磁気共鳴信号を受信する受信部と、この
受信部で収集される磁気共鳴信号に基づいて画像データを再構成する演算部と、前記被検
体を載置する寝台天板と、前記寝台天板を前記撮像空間部に位置付けるように駆動する寝
台と、を備えたＭＲＩ装置において、前記寝台が有する前記寝台天板は、互いに接触しな
い程度に充分に電気的絶縁が確保される距離をとって配列された導電性の複数の長尺材と
、非磁性材製で、複数の前記長尺材どうしを絶縁する絶縁材と、前記複数の長尺材および
前記絶縁材を、複数の前記長尺材の配列状態を維持して保持して板状に成形する成形材と
を具備することを特徴とする。
【０００９】
また、前記目的を達成するために、本発明の請求項１２に係るＭＲＩ装置用寝台は、撮
影空間部に静磁場空間を形成する静磁場発生部と、この静磁場発生部によって形成される
静磁場に位置情報を付加するための傾斜磁場を発生する傾斜磁場発生部と、前記撮影空間
部にＲＦパルスを照射する励起部と、前記被検体から放出される磁気共鳴信号を受信する
受信部と、この受信部で収集される磁気共鳴信号に基づいて画像データを再構成する演算
部と、を備えるＭＲＩ装置用の寝台において、互いに接触しない程度に充分に電気的絶縁
が確保される距離をとって配列された導電性の複数の長尺材と、非磁性材製で、複数の前
記長尺材どうしを絶縁する絶縁材と、複数の前記長尺材および前記絶縁材を、複数の前記
長尺材の配列状態を維持して保持して板状に成形する成形材とを備える寝台天板を有する
ことを特徴とする。
【００１０】
また、前記目的を達成するために、本発明の請求項２３に係るＭＲＩ装置用寝台天板は
、撮影空間部に静磁場空間を形成する静磁場発生部と、この静磁場発生部によって形成さ
れる静磁場に位置情報を付加するための傾斜磁場を発生する傾斜磁場発生部と、前記撮影
空間部にＲＦパルスを照射する励起部と、前記被検体から放出される磁気共鳴信号を受信
する受信部と、この受信部で収集される磁気共鳴信号に基づいて画像データを再構成する
演算部と、を備えるＭＲＩ装置用の寝台に使用されるＭＲＩ装置用寝台天板において、互
いに接触しない程度に充分に電気的絶縁が確保される距離をとって配列された導電性の複
数の長尺材と、非磁性材製で、複数の前記長尺材どうしを絶縁する絶縁材と、複数の前記
長尺材および前記絶縁材を、複数の前記長尺材の配列状態を維持して保持して板状に成形
する成形材とを具備することを特徴とする。
【発明の効果】
【００１１】
本発明によれば、軽量で、かつ成型が容易でありながら高強度な寝台天板となる。
【図面の簡単な説明】
【００１２】
【図１】本発明の実施形態に係るＭＲＩ装置の構成を示すブロック図。
【図２】本発明の実施形態に係る寝台天板が使用されるＭＲＩ装置の外観を示す斜視図。
【図３】本発明の実施形態に係る寝台天板の一部の構造を示す斜視図。
【図４】本発明の第１の実施形態に係る寝台天板の構造を示す断面図。
【図５】本発明の第１の実施形態に係るＭＲＩ装置用寝台天板の構造を示す平面図。
【図６】本発明の第１の実施形態に係るＭＲＩ装置用寝台天板の構造を示す平面図。
【図７】本発明の第１の実施形態に係るＭＲＩ装置用寝台天板の構造を示す平面図。
【図８】本発明の第１の実施形態に係るＭＲＩ装置用寝台天板の構造を示す平面図。
【図９】本発明の第２の実施形態に係る寝台天板の構造を示す断面図。
【図１０】本発明の第３の実施形態に係るＭＲＩ装置用寝台天板の構造を示す平面図。
【発明を実施するための形態】
【００１３】
以下、図面を参照して本発明の実施形態について説明する。
【００１４】
まず、本実施形態に係るＭＲＩ装置１００の各ユニットについて説明する。
【００１５】
図１は、本実施形態に係るＭＲＩ装置１００の構成を示したブロック図である。このＭ
ＲＩ装置１００は、撮像部１、寝台２、操作部３およびシステム制御部４を含む。
【００１６】
撮像部１は、被検体Ｐから磁気共鳴信号（ＭＲ信号）を収集し、収集したＭＲ信号に基
づく演算を行う。寝台２は、撮像部１の撮像位置に被検体Ｐを設定する。操作部３は、撮
像部１および寝台２の制御のための操作者による操作を受け付ける。システム制御部４は
、操作部３からの信号に基づいて撮像部１および寝台２を制御する。
【００１７】
撮像部１は、架台１１、架台制御部１２および信号処理部１３を含む。
【００１８】
架台１１は、磁石１１１、傾斜磁場コイル１１２、ＲＦコイル１１３および受信コイル
１１４を含む。架台１１の内部には、被検体Ｐの撮像を行うための円筒状の撮像空間１１
５が形成されている。この撮像空間１１５を軸として囲むように、磁石１１１、傾斜磁場
コイル１１２およびＲＦコイル１１３が配置されている。
【００１９】
磁石１１１は、撮像空間１１５内に静磁場を発生する。この磁石１１１としては、例え
ば超伝導磁石が利用できる。磁石１１１として超電導磁石を用いる場合には、静磁場電源
（図示せず）が設けられる。傾斜磁場コイル１１２は、磁石１１１の内周に配置される。
【００２０】
傾斜磁場コイル１１２は、図示しない傾斜磁場電源から電力が供給されることで撮像空
間１１５内の傾斜磁場を発生する。ＲＦコイル１１３は、傾斜磁場コイル１１２の内周に
配置される。架台制御部１２からＲＦ信号が供給されることによって、被検体内部の水素
原子核を励起するために高周波磁場を撮像空間に照射する。ＲＦコイル１１３は、被検体
Ｐから電磁波として放出されるＭＲ信号を電気信号状態に変換し、変換後のＭＲ信号を架
台制御部１２に出力する。受信コイル１１４は、寝台２上部に配置され、撮像時に寝台２
によって撮像空間１１５内に送り込まれる。受信コイル１１４は、被検体Ｐから電磁波と
して放出されるＭＲ信号を電気信号状態に変換し、変換後のＭＲ信号を架台制御部１２に
出力する。
【００２１】
架台制御部１２は、傾斜磁場制御部１２１、静磁場制御部１２２およびＲＦ送受信部１
２３を含む。
【００２２】
傾斜磁場制御部１２１は、傾斜磁場電源を制御する。静磁場制御部１２２は、静磁場電
源を制御する。ＲＦ送受信部１２３は、ＲＦコイル１１３へＲＦ信号を供給する。ＲＦ送
受信部１２３は、ＲＦコイル１１３および受信コイル１１４から出力されるＭＲ信号につ
いての受信処理を施した上で、信号処理部１３へ出力する。またＲＦ送受信部１２３は、
傾斜磁場の発生、ＲＦ信号の送信およびＭＲ信号の受信を所定のシーケンスに従って行う
ためのシーケンス制御を行う。
【００２３】
信号処理部１３は、演算部１３１および表示部１３２を含む。演算部１３１は、ＲＦ送
受信部１２３から送られてきたＭＲ信号から画像を再構成する。表示部１３２は、演算部
１３１によって再構成された画像を表示する。表示部１３２としては、例えばＣＲＴ（ca
thode-ray tube）が利用可能である。
【００２４】
寝台２は、寝台移動部２１および機構部２２を含む。寝台移動部２１は、水平移動部２
１１および寝台支持部２１２を含む。水平移動部２１１は、寝台天板２１１１およびミド
ルフレーム２１１２を含む。寝台天板２１１１は、その上面に被検体Ｐが載置される。ま
た被検体Ｐの上部には受信コイル１１４が配置される。ミドルフレーム２１１２は、寝台
天板２１１１を水平方向に移動可能に支持する。寝台支持部２１２は、水平移動部２１１
を上下方向に移動可能に支持する。
【００２５】
機構部２２は、水平移動機構部２２１、位置検出部２２２および上下移動機構部２２３
を含む。水平移動機構部２２１は、寝台天板２１１１を水平移動させる。位置検出部２２
２は、寝台天板２１１１の位置を検出する。上下移動機構部２２３は、寝台支持部２１２
を上下移動させる。
【００２６】
操作部３は、キーボードなどの入力デバイスや表示デバイスなどを含む。操作部３は、
撮像を行うための撮像条件の入力などのような撮像部１の操作のためや、寝台天板２１１
１上に載置された被検体Ｐを撮像空間１１５内の適切な位置に設定するための入力などの
ような寝台２の操作のために操作者により使用される。操作部３は、寝台２の操作だけを
行うために操作者により使用される。そして、被検体Ｐを移動する際に被検体Ｐの近くで
の操作が可能なように、操作部３は架台１１に配置される。操作部３は、操作者による操
作の内容を示した信号をシステム制御部４に送る。
【００２７】
システム制御部４は、ＣＰＵや記憶回路などを有する。システム制御部４は、操作部３
からの入力信号に基づいて、ＭＲＩ装置１００の各部を総括制御する。
【００２８】
ここで、本発明におけるＭＲＩ装置１００が備える寝台天板２１１１について説明を行
う。
【００２９】
図２は本発明の各実施形態に係る寝台天板２１１１が使用されるＭＲＩ装置１００の外
観を示す斜視図である。
【００３０】
寝台２は、水平移動機構部２２１によって寝台天板２１１１を移動させることにより、
寝台天板２１１１に載置された被検体Ｐを撮像空間１１５へと送り込む。
【００３１】
寝台天板２１１１は、被検体Ｐを撮像空間１１５へと送り込むために移動される方向に
ついての長さが、上記方向に直交する方向についての幅に比べて十分に短い形状をなす。
【００３２】
この寝台天板２１１１の長手方向および長手方向に直交する方向を、以下では天板長手方
向および天板幅方向と称する。
【００３３】
図３は図２中の寝台天板２１１１の一部の構造を示す斜視図である。
【００３４】
図３に示すように寝台天板２１１１は、平板部２１１１ａおよび壁部２１１１ｂ，２１
１１ｃ，２１１１ｄを有する形状をなす。平板部２１１１ａは、寝台天板２１１１の大半
の領域を占め、平板状をなしている。壁部２１１１ｂ，２１１１ｃは、天板幅方向につい
ての平板部２１１１ａの両端にそれぞれ形成されている。
【００３５】
壁部２１１１ｄは、長手方向についての平板部２１１１ａの一端に形成されている。そ
してこれらの壁部２１１１ｂ〜２１１１ｄにより、寝台天板２１１１の上に載置されるク
ッション２１１３や受信コイル１１４（図１参照のこと）などを保持する。また壁部２１
１１ｄには、図３に示すようにハンドル２１１４が取り付けられる。
【００３６】
続いて、以上のような寝台天板２１１１のより詳細な構造についての３つの実施形態に
ついて説明する。
【００３７】
（第１の実施形態）
図４は第１の実施形態に係る寝台天板２１１１の構造を示す断面図である。
【００３８】
なお図４は、寝台天板２１１１の天板長手方向に沿った直線を垂線とするとともに、寝
台天板２１１１の天板長手方向の中間部近傍に位置するものとして仮想した平面での断面
を示している。ただし図４は、寝台天板２１１１の構成要素の位置関係の概略を示してお
り、各要素の寸法は実際と異なる場合がある。
【００３９】
図４に示すように第１の実施形態に係る寝台天板２１１１は、複数のＣ−ＦＲＰ成型材
５１、複数のハニカム材５２、ガラスクロス５３および外殻材５４を含む。
【００４０】
また、図５は第１の実施形態に係る寝台天板２１１１を上方から見た平面図である。
【００４１】
図５に示されるように、Ｃ−ＦＲＰ成型材５１は、カーボン繊維強化プラスチック（Ｃ
−ＦＲＰ）を細長く成型した長尺材である。Ｃ−ＦＲＰ成型材５１は、その長手方向の長
さが天板長手方向についての寝台天板２１１１の長さよりも若干短い。Ｃ−ＦＲＰ成型材
５１の太さは、天板幅方向についての寝台天板２１１１の長さに比べて十分に小さい。複
数のＣ−ＦＲＰ成型材５１は、その長手方向を天板長手方向にほぼ沿わせつつ、互いに離
間して配置される。かくして、複数のＣ−ＦＲＰ成型材５１は、互いにほぼ平行して配置
されている。
【００４２】
ハニカム材５２は、非磁性かつ絶縁性の材料を細長く、かつハニカム構造をなすように
成型した長尺材である。ハニカム材５２の材料としては、例えばガラス繊維強化プラスチ
ックや紙、樹脂が使用できる。また、ハニカム材５２の代わりとして、木材をＣ−ＦＲＰ
成型材５１どうしの絶縁材に用いてもよい。ハニカム材５２は、その長手方向の長さが天
板長手方向についての寝台天板２１１１の長さよりも若干短い。ハニカム材５２の太さは
、天板幅方向についての寝台天板２１１１の長さに比べて十分に小さい。複数のハニカム
材５２は、図５に示されるように、その長手方向を天板長手方向にほぼ沿わせつつ、Ｃ−
ＦＲＰ成型材５１どうしの間にそれぞれ配置される。
【００４３】
なお、Ｃ−ＦＲＰ成型材５１およびハニカム材５２の配置は、図４に示すように平板部
２１１１ａおよび壁部２１１１ｂ，２１１１ｃに内在するように定められる。また、ハニ
カム材５２は、被検体Ｐが載置される寝台天板２１１１が有する平面に対して鉛直方向に
ハニカム形状を向けて配列される。これによって、寝台天板２１１１は、その鉛直方向か
らの負荷に対する強度が更に上がる。
【００４４】
ガラスクロス５３は、ガラス繊維を布状に形成したものである。ガラスクロス５３は、
図４に示すように配置された複数のＣ−ＦＲＰ成型材５１および複数のハニカム材５２に
巻き付けられ、これらＣ−ＦＲＰ成型材５１およびハニカム材５２を図４に示した配置状
態に保持する。ガラスクロス５３は、Ｃ−ＦＲＰ成型材５１およびハニカム材５２に対し
て１回のみ巻き付けられても良いし、複数回巻き付けられても良い。
【００４５】
外殻材５４は、非磁性かつ絶縁性の材料により複数のＣ−ＦＲＰ成型材５１、複数のハ
ニカム材５２およびガラスクロス５３の全体を覆う。
【００４６】
このように第１の実施形態の寝台天板２１１１は、複数のＣ−ＦＲＰ成型材５１および
複数のハニカム材５２を交互に配置した構造のコアを内在する。
【００４７】
そしてこのコアが、天板長手方向についての寝台天板２１１１の変形を防止する。ただ
し、ハニカム材５２に比べてＣ−ＦＲＰ成型材５１のほうが強度が高いため、上記変形の
防止は、主としてＣ−ＦＲＰ成型材５１に依存する。
【００４８】
さて図４の例では、Ｃ−ＦＲＰ成型材５１およびハニカム材５２のそれぞれの断面積を
互いに同一としている。このため、コア全体の断面積におけるＣ−ＦＲＰ成型材５１の断
面積の比率は、およそ１／２である。Ｃ−ＦＲＰの強度は、カーボンの充填率などによっ
て変化するが、一般的にＧ−ＦＲＰの５〜６倍の強度を有する。このため、複数のＣ−Ｆ
ＲＰ成型材５１を部分的に配置したことにより得られる強度は、寝台天板２１１１全体を
Ｇ−ＦＲＰで成型したものよりも強度を容易に高めることができる。また、Ｃ−ＦＲＰは
、Ｇ−ＦＲＰに比べて比重が小さく、同様にハニカム材もＧ−ＦＲＰに比べて比重が小さ
いため、気密性の高いハニカム材を使用して寝台天板２１１１を成型すれば、軽量化を図
れる。さらに、個々のＣ−ＦＲＰ成型材５１は、単純な形状であり、かつ断面積も小さい
。これらのことから、Ｃ−ＦＲＰ成型材５１は成型時に発生する歪みは小さく、加工性が
良い。
【００４９】
なお、ハニカム材５２も、Ｃ−ＦＲＰ成型材５１ほどの強度は持たないが、寝台天板２
１１１の変形の防止を補助する。
【００５０】
更に、寝台天板２１１１の成形時、ガラスクロス５３の内側には、樹脂を流し込む。そ
の際、ハニカム材５２は、ガラスクロス５３の内側に余計な量の樹脂が流れ込んで寝台天
板が必要以上に重くなることを防止するためのスペーサーとしての機能も有する。
【００５１】
ところで、Ｃ−ＦＲＰは導電性であるために誘導電流により磁場を発生してしまい、磁
気共鳴現象の観測への影響が生じる。しかしながら、複数のＣ−ＦＲＰ成型材５１がハニ
カム材５２によって互いに絶縁されている。このため、磁気共鳴現象の観測に対しては、
複数のＣ−ＦＲＰ成型材５１が個別に影響する。ここでＣ−ＦＲＰ成型材５１は複数を配
列するため、寝台天板２１１１の大きさに拘わらずに断面積を小さくできる。導電材は、
その断面積が小さいほど生じる誘導電流が小さいから、Ｃ−ＦＲＰ成型材５１のそれぞれ
に生じる誘導電流は小さい。このため、誘導電流により発生する磁場も小さく、磁気共鳴
現象の観測への影響は最小限に抑えることができる。
【００５２】
尚、本実施形態では、図５に示されるように、複数のＣ−ＦＲＰ成型材５１は、その長
手方向を天板長手方向にほぼ沿わせつつ、互いに離間して配置され、また、複数のハニカ
ム材５２は、その長手方向を天板長手方向にほぼ沿わせつつ、Ｃ−ＦＲＰ成型材５１どう
しの間にそれぞれ配置されるが、Ｃ−ＦＲＰ成型材５１およびハニカム材５２の配置はこ
れに限定されるものではない。
【００５３】
例えば、図６に示されるように、Ｃ−ＦＲＰ成型材５１の長手方向を天板幅方向にほぼ
沿わせつつ、互いに離間して配置され、また、複数のハニカム材５２は、その長手方向を
天板幅方向にほぼ沿わせつつ、Ｃ−ＦＲＰ成型材５１どうしの間にそれぞれ配置してもよ
いし、また、図７に示されるように、Ｃ−ＦＲＰ成型材５１の長手方向を天板長手方向に
も、天板幅方向にも沿わせず、互いに離間して配置され、また、複数のハニカム材５２は
、その長手方向を天板長手方向にも、天板幅方向にも沿わせず、Ｃ−ＦＲＰ成型材５１ど
うしの間にそれぞれ配置してもよい。
【００５４】
特に図７のような配置方法をとると、寝台天板２１１１の長手方向の更なる強度の向上
を図ることが可能となる。
【００５５】
更に、本実施形態の寝台天板２１１１におけるＣ−ＦＲＰ成型材５１は、図８のように
、複数本に分割されたものであってもよい。分割されたＣ−ＦＲＰ成型材５１どうしの間
のスペースには、溶融した樹脂を流し込んでもよいし、ハニカム材５２を設置して、互い
を絶縁してもよい。
【００５６】
このように分割されたＣ−ＦＲＰ成型材５１は、成型をより容易に行うことができ、ま
た分割されていないものを寝台天板２１１１に配置する場合に比べ、寝台天板２１１１の
軽量化を図ることが可能となる。
【００５７】
（第２の実施形態）
図９は第２の実施形態に係る寝台天板２１１１の構造を示す断面図である。なお図９は
、寝台天板２１１１の長手方向に沿った直線を垂線とするとともに、寝台天板２１１１の
長手方向の中間部近傍に位置するものとして仮想した平面での断面を示している。また、
図９において図４と同一部分には同一符号を付し、その詳細な説明は省略する。ただし図
９は、寝台天板２１１１の構成要素の位置関係の概略を示しており、各要素の寸法は実際
と異なる場合がある。
【００５８】
図９に示すように第２の実施形態に係る寝台天板２１１１は、ガラスクロス５３、外殻
材５４、複数のＣ−ＦＲＰ引き抜き材５５および複数のＧ−ＦＲＰ引き抜き材５６を含む
。すなわち第２の実施形態においては、第１の実施形態におけるＣ−ＦＲＰ成型材５１お
よびハニカム材５２に代えてＣ−ＦＲＰ引き抜き材５５およびＧ−ＦＲＰ引き抜き材５６
を備える。
【００５９】
Ｃ−ＦＲＰ引き抜き材５５は、Ｃ−ＦＲＰを引き抜き加工によって細長く成型した長尺
材である。Ｃ−ＦＲＰ引き抜き材５５は、第１の実施形態と同様に、その長手方向の長さ
が天板長手方向についての寝台天板２１１１の長さよりも若干短い。Ｃ−ＦＲＰ引き抜き
材５５の太さは、天板幅方向についての寝台天板２１１１の長さに比べて十分に小さい。
【００６０】
複数のＣ−ＦＲＰ引き抜き材５５は、その長手方向を天板長手方向にほぼ沿わせつつ、互
いに離間して配置される。かくして、複数のＣ−ＦＲＰ引き抜き材５５は、互いにほぼ平
行して配置されている。
【００６１】
Ｇ−ＦＲＰ引き抜き材５６は、Ｇ−ＦＲＰを引き抜き加工によって細長く成型した長尺
材である。Ｇ−ＦＲＰ引き抜き材５６は、その長手方向の長さが天板長手方向についての
寝台天板２１１１の長さよりも若干短い。Ｇ−ＦＲＰ引き抜き材５６の太さは、天板幅方
向についての寝台天板２１１１の長さに比べて十分に小さい。複数のＧ−ＦＲＰ引き抜き
材５６は、その長手方向を天板長手方向にほぼ沿わせつつ、Ｃ−ＦＲＰ引き抜き材５５ど
うしの間にそれぞれ配置される。
【００６２】
これらＣ−ＦＲＰ引き抜き材５５およびＧ−ＦＲＰ引き抜き材５６にはガラスクロス５
３が巻き付けられ、これによって図９に示した配置状態に保持される。また、複数のＣ−
ＦＲＰ引き抜き材５５、複数のＧ−ＦＲＰ引き抜き材５６およびガラスクロス５３の全体
が外殻材５４によって覆われる。
【００６３】
このように第２の実施形態の寝台天板２１１１は、複数のＣ−ＦＲＰ引き抜き材５５お
よび複数のＧ−ＦＲＰ引き抜き材５６を交互に配置した構造のコアを内在する。そしてこ
のコアが、天板長手方向についての寝台天板２１１１の変形を防止する。ただし、Ｇ−Ｆ
ＲＰに比べてＣ−ＦＲＰのほうが強度が高いため、本実施形態におけるコアは、同じ断面
積でＧ−ＦＲＰのみを用いて形成されたコアよりも強度を容易に高めることができる。ま
た、Ｃ−ＦＲＰは、カーボン繊維の充填率をそれほど上げなくとも十分な強度が得られる
。かつ、Ｇ−ＦＲＰ引き抜き材５６にはそれほど大きな強度が要求されず、ガラス繊維の
充填率を上げる必要がない。さらに、個々のＣ−ＦＲＰ引き抜き材５５およびＧ−ＦＲＰ
引き抜き材５６は、単純な形状であり、かつ断面積も小さい。これらのことから、Ｃ−Ｆ
ＲＰ引き抜き材５５およびＧ−ＦＲＰ引き抜き材５６は成型時に発生する歪みは小さく、
加工性が良い。
【００６４】
複数のＧ−ＦＲＰ引き抜き材５６は、非磁性かつ絶縁性である。このためＧ−ＦＲＰ引
き抜き材５６は、コアの強度を高める機能の他に、Ｃ−ＦＲＰ引き抜き材５５どうしを絶
縁する機能も持つ。Ｃ−ＦＲＰ引き抜き材５５は複数を配列するため、その断面積を寝台
天板２１１１の大きさに拘わらずに小さくできる。そして複数のＣ−ＦＲＰ引き抜き材５
５がＧ−ＦＲＰ引き抜き材５６によって互いに絶縁されているから、Ｃ−ＦＲＰ引き抜き
材５５のそれぞれに生じる誘導電流は小さく、この誘導電流により発生する磁場も小さい
。
【００６５】
かくして、磁気共鳴現象の観測への影響は最小限に抑えることができる。
【００６６】
（第３の実施形態）
前述の第１の実施形態および第２の実施形態では、寝台天板２１１１におけるＣ−ＦＲ
Ｐ成型材５１又はＣ−ＦＲＰ引き抜き材５５およびハニカム材５２又はＧ−ＦＲＰ引き抜
き材５６は、図５に示すようにそれぞれを寝台天板２１１１の天板長手方向にほぼ沿わせ
て配置されるか、又は図６、図７に示されるように、それぞれを寝台天板２１１１の天板
長手方向以外の方向に沿わせて配置される。
【００６７】
つまり、第１の実施形態および第２の実施形態での寝台天板２１１１におけるＣ−ＦＲ
Ｐ成型材５１又はＣ−ＦＲＰ引き抜き材５５およびハニカム材５２又はＧ−ＦＲＰ引き抜
き材５６は、お互いが長手方向を同一方向に沿わせて配置されている。
【００６８】
本実施形態では寝台天板２２において、第１の実施形態および第２の実施形態とは異な
るＣ−ＦＲＰ成型材５１又はＣ−ＦＲＰ引き抜き材５５およびハニカム材５２又はＧ−Ｆ
ＲＰ引き抜き材５６の配置に関して説明する。
【００６９】
図１０は、図５と同様、寝台天板２１１１を上方から見た平面図である。
【００７０】
図１０に示されるように、寝台天板２１１１においてＣ−ＦＲＰ成型材５１は、その長
手方向を天板長手方向にほぼ沿わせて配置されるものと、その長手方向を天板幅方向には
ぼ沿わせて配置されるものとが互いに離間して配置されている。
【００７１】
また、Ｃ−ＦＲＰ成型材５１どうしは、ハニカム材５２によって互いに絶縁されている
。
【００７２】
このような方法をとることによって、寝台天板２１１１に対するあらゆる方向からの力
の付加に対応でき、強度の面における向上を図ることが可能となる。
【００７３】
尚、本実施形態において、寝台天板２１１１の長手方向に沿わせて配置されるＣ−ＦＲ
Ｐ成型材５１は、図１０に示されるように、複数本に分割されているが、分割されたＣ−
ＦＲＰ成型材５１どうしの間のスペースには、第１の実施形態と同様、溶融した樹脂を流
し込んでもよいし、ハニカム材５２を配置して互いを絶縁してもよい。また、分割せずに
１本のＣ−ＦＲＰ成型材５１を配置しても構わない。
【００７４】
上記の各実施形態は、次のような種々の変形実施が可能である。
【００７５】
第１の実施形態においては、ハニカム材５２に代えてソリッド材を用いても良い。ただ
し、強度維持と軽量化とを両立できるので、ハニカム材５２を用いることが好ましい。
【００７６】
第１の実施形態において、Ｃ−ＦＲＰ成型材５１およびハニカム材５２の断面形状は、
円形や楕円形などの任意の形状であって良く、またＣ−ＦＲＰ成型材５１およびハニカム
材５２の断面形状が互いに異なっていても良い。
【００７７】
第２の実施形態においては、Ｃ−ＦＲＰ引き抜き材５５およびＧ−ＦＲＰ引き抜き材５
６の断面形状は、楕円形や方形などの任意の形状であって良く、またＣ−ＦＲＰ引き抜き
材５５およびＧ−ＦＲＰ引き抜き材５６の断面形状が互いに異なっていても良い。
【００７８】
第１および第２の実施形態において、Ｃ−ＦＲＰ成型材とハニカム材、あるいはＣ−Ｆ
ＲＰ成型材とＧ−ＦＲＰ成型材とを寝台天板２１１１の平板部２１１１ａおよび壁部２１
１１ｂ、２１１１ｃ、２１１１ｄの形状に合わせて事前にサンドイッチ構造の板材に成型
してからガラスクロス等により外殻を形成しても良い。
【００７９】
第１および第２の実施形態において、Ｃ−ＦＲＰ成型材５１どうし、あるいはＣ−ＦＲ
Ｐ引き抜き材５５どうしは、それらの間隙に溶融した樹脂を流し込むとともにこの樹脂を
硬化させることによって絶縁を図るようにしても良い。すなわち絶縁材は、複数を設けな
くても良い。
【００８０】
第１および第２の実施形態において、Ｃ−ＦＲＰ成型材５１、あるいはＣ−ＦＲＰ引き
抜き材５５は、寝台天板２１１１の厚み方向にも複数が配列されていても良い。
【００８１】
寝台天板２１１１の外形は、任意に変更が可能である。例えば、壁部２１１１ｂ，２１
１１ｃの傾斜角度が変更されても良い。あるいは、壁部２１１１ｂ〜２１１１ｄの一部ま
たは全てが存在しなくても良い。あるいは、図３に示されない構造が付加されても良い。
【００８２】
なお、本発明は上記各実施形態そのままに限定されるものではなく、実施段階ではその
要旨を逸脱しない範囲で構成要素を変形して具体化できる。また、上記実施形態に開示さ
れている複数の構成要素の適宜な組み合わせにより、種々の発明を形成できる。例えば、
実施形態に示される全構成要素から幾つかの構成要素を削除してもよい。さらに、異なる
実施形態にわたる構成要素を適宜組み合わせてもよい。
【符号の説明】
【００８３】
１…撮像部、１１…架台、１１１…磁石、１１２…傾斜磁場コイル、１１３…ＲＦコイ
ル、１２…架台制御部、１２１…傾斜磁場制御部、１２２…静磁場制御部、１２３…ＲＦ
送受信部、１３…信号処理部、１３１…演算部、１３２…表示部、２…寝台、２１…寝台
移動部、２１１…水平移動部、２１１１…寝台天板、２１１１ａ…平板部、２１１１ｂ，
２１１１ｃ，２１１１ｄ…壁部、２１１２…ミドルフレーム、２１１３…クッション、２
１１４…ハンドル、２１２…寝台指示部、２２１…水平移動部、２２２…位置検出部、２
２３…上下移動機構部、２２…機構部、３…操作部、４…システム制御部、５１…Ｃ−Ｆ
ＲＰ成型材、５２…ハニカム材、５３…ガラスクロス、５４…外殻材、５５…Ｃ−ＦＲＰ
引き抜き材、５６…Ｇ−ＦＲＰ引き抜き材、１００…ＭＲＩ装置、Ｐ…被検体。
【図１】
2010131383.tif 000003
【図２】
2010131383.tif 000004
【図３】
2010131383.tif 000005
【図４】
2010131383.tif 000006
【図５】
2010131383.tif 000007
【図６】
2010131383.tif 000008
【図７】
2010131383.tif 000009
【図８】
2010131383.tif 000010
【図９】
2010131383.tif 000011
【図１０】
2010131383.tif 000012